(57)【要約】【課題】端末装置でのコンテンツ接触の把握をより適切に行うことが可能とする。【解決手段】携帯電話機１０は、放送の視聴機能の実行終了を検出した場合に、入力フォーマットの要求を収集サーバ２０へ送信する。更に、携帯電話機２０は、収集サーバ２０から受信した入力フォーマットに対応するアンケート入力画面をモニタ１１０に表示する。更に、携帯電話機１０は、利用者による操作部１１６の操作によって、アンケートの回答であるコンテンツ接触が入力された場合には、入力されたコンテンツ接触を含んだアンケート回答用コンテンツ接触データを生成して、収集サーバ２０へ送信する。収集サーバ２０は、携帯電話機１０からのアンケート回答用コンテンツ接触データを受信し、記憶する。【選択図】図１
2010183293.tif 000002
【特許請求の範囲】
【請求項１】
コンテンツの接触機能を有する端末装置と、前記端末装置におけるコンテンツの接触状況を収集する収集サーバとを備えるコンテンツ接触調査システムであって、
前記端末装置は、
前記コンテンツの接触機能の実行終了を検出する接触終了検出部と、
前記接触終了検出部により前記コンテンツの接触機能の実行終了が検出された場合に、前記収集サーバへ前記コンテンツの接触状況の入力要求を送信する入力要求送信部と
を備え、
前記収集サーバは、
前記端末装置からの前記入力要求を受信する入力要求受信部と、
前記入力要求受信部により前記入力要求が受信された場合に、対応する入力応答を前記端末装置へ送信する入力応答送信部と
を備え、
前記端末装置は、
前記収集サーバからの前記入力応答を受信する入力応答受信部と、
前記入力応答受信部により前記入力応答が受信された場合に、入力画面を表示する表示部と、
利用者による操作部の操作によって前記コンテンツの接触状況が入力された場合に、入力された前記コンテンツの接触状況を含んだ接触状況データを生成する接触状況データ生成部と、
前記接触状況データ生成部により生成された前記接触状況データを前記収集サーバへ送信する接触状況データ送信部と
を備え、
前記収集サーバは、
前記端末装置からの前記接触状況データを受信する接触状況データ受信部と、
前記接触状況データ受信部により受信された前記接触状況データを記憶する記憶部と
を備えるコンテンツ接触調査システム。
【請求項２】
前記入力要求は、前記接触状況を入力するための入力フォーマットの要求であり、
前記入力応答は、前記入力フォーマットである請求項１に記載のコンテンツ接触調査システム。
【請求項３】
前記入力要求送信部は、前記接触終了検出部により前記コンテンツの接触機能の実行終了が検出され、且つ、利用者による操作部の操作によって前記接触状況の入力が要求された場合に、前記収集サーバへ前記入力要求を送信する請求項１又は２に記載のコンテンツ接触調査システム。
【請求項４】
前記端末装置は、前記コンテンツの接触機能の実行が開始された場合に、前記収集サーバへの誘導のための誘導アプリケーションを実行する誘導アプリケーション実行部を備える請求項１乃至３の何れかに記載のコンテンツ接触調査システム。
【請求項５】
前記収集サーバは、前記誘導アプリケーションを前記端末装置へ送信する誘導アプリケーション送信部を備え、
前記端末装置は、前記収集サーバから送信される前記誘導アプリケーションを受信する誘導アプリケーション受信部を備える請求項４に記載のコンテンツ接触調査システム。
【請求項６】
コンテンツの接触機能を有する端末装置であって、
前記コンテンツの接触機能の実行終了を検出する接触終了検出部と、
前記接触終了検出部により前記コンテンツの接触機能の実行終了が検出された場合に、前記端末装置におけるコンテンツの接触状況を収集する収集サーバへ前記コンテンツの接触状況の入力要求を送信する入力要求送信部と、
前記収集サーバからの前記入力要求に対する応答である入力応答を受信する入力応答受信部と、
前記入力応答受信部により前記入力応答が受信された場合に、入力画面を表示する表示部と、
利用者による操作部の操作によって前記コンテンツの接触状況が入力された場合に、入力された前記コンテンツの接触状況を含んだ接触状況データを生成する接触状況データ生成部と、
前記接触状況データ生成部により生成された前記接触状況データを前記収集サーバへ送信する接触状況データ送信部と
を備える端末装置。
【請求項７】
前記入力要求は、前記接触状況を入力するための入力フォーマットの要求であり、
前記入力応答は、前記入力フォーマットである請求項６に記載の端末装置。
【請求項８】
前記入力要求送信部は、前記接触終了検出部により前記コンテンツの接触機能の実行終了が検出され、且つ、利用者による操作部の操作によって前記接触状況の入力が要求された場合に、前記収集サーバへ前記入力要求を送信する請求項６又は７に記載の端末装置。
【請求項９】
前記コンテンツの接触機能の実行が開始された場合に、前記収集サーバへの誘導のための誘導アプリケーションを実行する誘導アプリケーション実行部を備える請求項６乃至８の何れかに記載の端末装置。
【請求項１０】
前記収集サーバから送信される前記誘導アプリケーションを受信する誘導アプリケーション受信部を備える請求項９に記載の端末装置。
【請求項１１】
コンテンツの接触機能を有する端末装置におけるコンテンツ接触調査支援方法であって、
前記端末装置が、前記コンテンツの接触機能の実行終了を検出するステップと、
前記端末装置が、前記コンテンツの接触機能の実行終了が検出された場合に、前記端末装置におけるコンテンツの接触状況を収集する収集サーバへ前記コンテンツの接触状況の入力要求を送信するステップと、
前記端末装置が、前記収集サーバからの前記入力要求に対する応答である入力応答を受信するステップと、
前記端末装置が、前記入力応答が受信された場合に、入力画面を表示するステップと、
前記端末装置が、利用者による操作部の操作によって前記コンテンツの接触状況が入力された場合に、入力された前記コンテンツの接触状況を含んだ接触状況データを生成するステップと、
前記端末装置が、生成された前記接触状況データを前記収集サーバへ送信するステップと
を備えるコンテンツ接触調査支援方法。
【請求項１２】
前記入力要求は、前記接触状況を入力するための入力フォーマットの要求であり、
前記入力応答は、前記入力フォーマットである請求項１１に記載のコンテンツ接触調査支援方法。
【請求項１３】
前記入力要求を送信するステップは、前記コンテンツの接触機能の実行終了が検出され、且つ、利用者による操作部の操作によって前記接触状況の入力が要求された場合に、前記収集サーバへ前記入力要求を送信する請求項１１又は１２に記載のコンテンツ接触調査支援方法。
【請求項１４】
前記端末装置が、前記コンテンツの接触機能の実行が開始された場合に、前記収集サーバへの誘導のための誘導アプリケーションを実行するステップを備える請求項１１乃至１３の何れかに記載のコンテンツ接触調査支援方法。
【請求項１５】
前記端末装置が、前記収集サーバから送信される前記誘導アプリケーションを受信するステップを備える請求項１４に記載のコンテンツ接触調査支援方法。
【発明の詳細な説明】
【技術分野】
【０００１】
本発明は、コンテンツの接触機能を有する端末装置と、当該端末装置におけるコンテンツの接触状況を収集する収集サーバとを備えるコンテンツ接触調査システム、端末装置、及び、当該端末装置におけるコンテンツ接触調査支援方法に関する。
【背景技術】
【０００２】
近年、携帯電話機には、様々な機能が搭載されるようになっている。例えば、携帯電話機には、テレビ放送の視聴機能を有するものがある。このテレビ放送の視聴機能を有する携帯電話機は、広く普及しているため、従来の据え置き型のテレビ受像機での放送の視聴状況の把握のみならず、携帯電話機での放送の視聴状況の把握も要求されるようになっている。
【０００３】
例えば、特許文献１及び特許文献２に記載された技術では、放送受信端末は、受信放送信号の視聴状況を収集、送信している。一方、サーバは、視聴状況を受信し、データベースに登録する。
【先行技術文献】
【特許文献】
【０００４】
【特許文献１】特開２００６−３５２４３７号公報
【特許文献２】特開２００６−３５２４３８号公報
【発明の概要】
【発明が解決しようとする課題】
【０００５】
上述した特許文献１及び特許文献２に記載された技術では、放送受信端末は、受信放送信号を解析し、その解析結果に基づいて視聴状況を把握している。しかしながら、このような受信放送信号の解析結果に基づく視聴状況の把握では、以下のような問題が生じる。すなわち、受信放送信号に視聴状況の把握に必要な情報が含まれていない場合、放送受信端末やサーバは、放送受信端末での視聴状況を把握することができない。また、放送信号の受信品質が劣化している場合には、当該放送信号に視聴状況の把握に必要な情報が含まれていても、放送受信端末は、その情報を取得することができないことがある。その結果、放送受信端末やサーバは、放送受信端末での視聴状況を把握することができない場合がある。
【０００６】
上記問題点に鑑み、本発明は、端末装置でのコンテンツの接触状況の把握をより適切に行うことが可能なコンテンツ接触調査システム、端末装置、及び、コンテンツ接触調査支援方法を提供することを目的とする。
【課題を解決するための手段】
【０００７】
上述した課題を解決するために、本発明は以下のような特徴を有している。まず、本発明の第１の特徴は、コンテンツの接触機能を有する端末装置（携帯電話機１０）と、前記端末装置におけるコンテンツの接触状況を収集する収集サーバ（収集サーバ２０）とを備えるコンテンツ接触調査システムであって、前記端末装置は、前記コンテンツの接触機能の実行終了を検出する接触終了検出部（アプリケーション監視部１５２）と、前記接触終了検出部により前記コンテンツの接触機能の実行終了が検出された場合に、前記収集サーバへ前記コンテンツの接触状況の入力要求を送信する入力要求送信部（入力フォーマット要求送信部１５７）とを備え、前記収集サーバは、前記端末装置からの前記入力要求を受信する入力要求受信部（Ｉ／Ｆ部２０２）と、前記入力要求受信部により前記入力要求が受信された場合に、対応する入力応答を前記端末装置へ送信する入力応答送信部（Ｉ／Ｆ部２０２）とを備え、前記端末装置は、前記収集サーバからの前記入力応答を受信する入力応答受信部（入力フォーマット受信部１５９）と、前記入力応答受信部により前記入力応答が受信された場合に、入力画面を表示する表示部（モニタ１１０）と、利用者による操作部の操作によって前記コンテンツの接触状況が入力された場合に、入力された前記コンテンツの接触状況を含んだ接触状況データを生成する接触状況データ生成部（視聴状況データ生成部１６２）と、前記接触状況データ生成部により生成された前記接触状況データを前記収集サーバへ送信する接触状況データ送信部（視聴状況データ送信部１６４）とを備え、前記収集サーバは、前記端末装置からの前記接触状況データを受信する接触状況データ受信部（Ｉ／Ｆ部２０２）と、前記接触状況データ受信部により受信された前記接触状況データを記憶する記憶部（記憶部２０６）とを備えることを要旨とする。
【０００８】
このようなコンテンツ接触調査システムでは、端末装置は、コンテンツの接触機能の実行終了を検出した場合に、入力要求を収集サーバへ送信する。更に、端末装置は、収集サーバから入力応答を受信した場合に、入力画面を表示し、利用者による操作部の操作によって接触状況が入力された場合には、入力された接触状況を含んだ接触状況データを生成して、収集サーバへ送信する。すなわち、端末装置及び収集サーバは、受信コンテンツ信号の解析のみでは、適切に接触状況を把握することができない場合であっても、利用者によって入力された接触状況に基づいて、適切に接触状況を把握することが可能となる。ここで、コンテンツの接触とは、テレビ放送の視聴、ラジオ放送の聴取、通信を介した映像や音声の視聴等を意味する。
【０００９】
本発明の第２の特徴は、本発明の第１の特徴に係り、前記入力要求は、前記接触状況を入力するための入力フォーマットの要求であり、前記入力応答は、前記入力フォーマットであることを要旨とする。
【００１０】
本発明の第２の特徴は、本発明の第１又は第２の特徴に係り、前記入力要求送信部は、前記接触終了検出部により前記コンテンツの接触機能の実行終了が検出され、且つ、利用者による操作部の操作によって前記接触状況の入力が要求された場合に、前記収集サーバへ前記入力要求を送信することを要旨とする。
【００１１】
本発明の第４の特徴は、本発明の第１乃至第３の特徴の何れかに係り、前記端末装置は、前記コンテンツの接触機能の実行が開始された場合に、前記収集サーバへの誘導のための誘導アプリケーションを実行する誘導アプリケーション実行部（制御部１０２）を備えることを要旨とする。
【００１２】
本発明の第５の特徴は、本発明の第４の特徴に係り、前記収集サーバは、前記誘導アプリケーションを前記端末装置へ送信する誘導アプリケーション送信部を備え、前記端末装置は、前記収集サーバから送信される前記誘導アプリケーションを受信する誘導アプリケーション受信部を備えることを要旨とする。
【００１３】
本発明の第６の特徴は、コンテンツの接触機能を有する端末装置であって、前記コンテンツの接触機能の実行終了を検出する接触終了検出部と、前記接触終了検出部により前記コンテンツの接触機能の実行終了が検出された場合に、前記端末装置におけるコンテンツの接触状況を収集する収集サーバへ前記コンテンツの接触状況の入力要求を送信する入力要求送信部と、前記収集サーバからの前記入力要求に対する応答である入力応答を受信する入力応答受信部と、前記入力応答受信部により前記入力応答が受信された場合に、入力画面を表示する表示部と、利用者による操作部の操作によって前記コンテンツの接触状況が入力された場合に、入力された前記コンテンツの接触状況を含んだ接触状況データを生成する接触状況データ生成部と、前記接触状況データ生成部により生成された前記接触状況データを前記収集サーバへ送信する接触状況データ送信部とを備えることを要旨とする。
【００１４】
本発明の第７の特徴は、本発明の第６の特徴に係り、前記入力要求は、前記接触状況を入力するための入力フォーマットの要求であり、前記入力応答は、前記入力フォーマットであることを要旨とする。
【００１５】
本発明の第８の特徴は、本発明の第６又は第７の特徴に係り、前記入力要求送信部は、前記接触終了検出部により前記コンテンツの接触機能の実行終了が検出され、且つ、利用者による操作部の操作によって前記接触状況の入力が要求された場合に、前記収集サーバへ前記入力要求を送信することを要旨とする。
【００１６】
本発明の第９の特徴は、本発明の第６乃至第８の特徴の何れかに係り、前記コンテンツの接触機能の実行が開始された場合に、前記収集サーバへの誘導のための誘導アプリケーションを実行する誘導アプリケーション実行部を備えることを要旨とする。
【００１７】
本発明の第１０の特徴は、本発明の第６乃至第９の特徴の何れかに係り、前記収集サーバから送信される前記誘導アプリケーションを受信する誘導アプリケーション受信部を備えることを要旨とする。
【００１８】
本発明の第１１の特徴は、コンテンツの接触機能を有する端末装置におけるコンテンツ接触調査支援方法であって、前記端末装置が、前記コンテンツの接触機能の実行終了を検出するステップと、前記端末装置が、前記コンテンツの接触機能の実行終了が検出された場合に、前記端末装置におけるコンテンツの接触状況を収集する収集サーバへ前記コンテンツの接触状況の入力要求を送信するステップと、前記端末装置が、前記収集サーバからの前記入力要求に対する応答である入力応答を受信するステップと、前記端末装置が、前記入力応答が受信された場合に、入力画面を表示するステップと、前記端末装置が、利用者による操作部の操作によって前記コンテンツの接触状況が入力された場合に、入力された前記コンテンツの接触状況を含んだ接触状況データを生成するステップと、前記端末装置が、生成された前記接触状況データを前記収集サーバへ送信するステップとを備えることを要旨とする。
【００１９】
本発明の第１２の特徴は、本発明の第１１の特徴に係り、前記入力要求は、前記接触状況を入力するための入力フォーマットの要求であり、前記入力応答は、前記入力フォーマットであることを要旨とする。
【００２０】
本発明の第１３の特徴は、本発明の第１１又は第１２の特徴に係り、前記入力要求を送信するステップは、前記コンテンツの接触機能の実行終了が検出され、且つ、利用者による操作部の操作によって前記接触状況の入力が要求された場合に、前記収集サーバへ前記入力要求を送信することを要旨とする。
【００２１】
本発明の第１４の特徴は、本発明の第１１乃至第１３の特徴の何れかに係り、前記端末装置が、前記コンテンツの接触機能の実行が開始された場合に、前記収集サーバへの誘導のための誘導アプリケーションを実行するステップを備えることを要旨とする。
【００２２】
本発明の第１５の特徴は、本発明の第１１乃至第１４の特徴の何れかに係り、前記端末装置が、前記収集サーバから送信される前記誘導アプリケーションを受信するステップを備えることを要旨とする。
【発明の効果】
【００２３】
本発明によれば、端末装置でのコンテンツの接触状況の把握をより適切に行うことが可能となる。
【図面の簡単な説明】
【００２４】
【図１】本発明の実施形態に係る放送視聴調査システムの全体概略構成図である。
【図２】本発明の実施形態に係る携帯電話機の概略構成図である。
【図３】本発明の実施形態に係る、携帯電話機内の制御部の機能ブロック構成図である。
【図４】情報の入力順を示す図である。
【図５】回答選択画面の一例を示す図である。
【図６】アンケート入力画面の一例を示す図である。
【図７】アンケート回答用視聴状況データの一例を示す図である。
【図８】本発明の実施形態に係る収集サーバの概略構成図である。
【図９】本発明の実施形態に係る携帯電話機の動作を示す第１のフローチャートである。
【図１０】本発明の実施形態に係る携帯電話機の動作を示す第２のフローチャートである。
【発明を実施するための形態】
【００２５】
次に、図面を参照して、本発明の実施形態を説明する。具体的には、（１）放送視聴調査システムの構成、（２）携帯電話機の動作、（３）作用・効果、（４）その他の実施形態について説明する。以下の実施形態における図面の記載において、同一又は類似の部分には同一又は類似の符号を付している。
【００２６】
（１）放送視聴調査システムの構成
まず、本発明の実施形態に係る放送視聴調査システムの構成について、（１．１）放送視聴調査システムの全体概略構成、（１．２）携帯電話機の構成、（１．３）収集サーバの構成の順に説明する。
【００２７】
（１．１）放送視聴調査システムの全体概略構成
図１は、本発明の実施形態に係る放送視聴調査システムの全体概略構成図である。
【００２８】
図１に示すように、放送視聴調査システムは、携帯電話機１０、収集サーバ２０、放送局装置３０、中継局装置４０、無線基地局５０及び有線ネットワーク６０とを含む。
【００２９】
放送局装置３０は、ワンセグメント放送用の信号（ワンセグ放送信号）を送出する。中継局装置４０は、放送局装置３０からのワンセグ放送信号を受信し、適宜増幅した上で送出する。
【００３０】
携帯電話機１０は、ワンセグメント放送の視聴機能を有する。この携帯電話機１０は、中継局装置４０からのワンセグ放送信号を受信し、画像表示や音声出力といったワンセグメント放送の視聴機能を実行する。また、携帯電話機１０は、ワンセグメント放送の視聴状況を示す視聴状況データを生成する。更に、携帯電話機１０は、無線基地局５０及び有線ネットワーク６０を介して、収集サーバ２０へ視聴状況データを送信する。
【００３１】
収集サーバ２０は、無線基地局５０及び有線ネットワーク６０を介して、携帯電話機１０からの視聴状況データを受信する。更に、収集サーバ２０は、受信した視聴状況データを記憶する。
【００３２】
（１．２）携帯電話機の構成
（１．２．１）携帯電話機の概略構成図
図２は、携帯電話機１０の概略構成図である。図２に示すように、携帯電話機１０は、制御部１０２、記憶部１０３、無線通信部１０６、通信用アンテナ１０７、放送受信部１０８、放送用アンテナ１０９、モニタ１１０、マイク１１２、スピーカ１１４、ＧＰＳ受信部１１５、及び、操作部１１６を含む。
【００３３】
制御部１０２は、例えばＣＰＵによって構成され、携帯電話機１０が具備する各種機能を制御する。記憶部１０３は、例えばメモリによって構成され、携帯電話機１０における制御などに用いられる各種情報を記憶する。
【００３４】
無線通信部１０６は、通信用アンテナ１０７を介して無線信号の送信及び受信を行う。
【００３５】
放送受信部１０８は、放送用アンテナ１０９を介してワンセグ放送信号の受信を行う。
【００３６】
モニタ１１０は、制御部１０２を介して受信した、ワンセグ放送の画像等を表示したり、操作内容を表示したりする。マイク１１２は、音声を集音し、集音された音声に基づく音声データを制御部１０２へ出力する。スピーカ１１４は、制御部１０２を介して受信した、ワンセグ放送の音声を出力する。
【００３７】
ＧＰＳ受信部１１５は、ＧＰＳ衛星からの信号（ＧＰＳ信号）を受信する。操作部１１６は、テンキーやファンクションキーなどによって構成され、ユーザの操作内容を入力するために用いられるインタフェースである。
【００３８】
（１．２．２）携帯電話機の詳細構成
次に、携帯電話機１０の詳細構成、具体的には、制御部１０２の機能ブロック構成について説明する。図３は、携帯電話機１０の制御部１０２の機能ブロック構成図である。
【００３９】
図３に示すように、制御部１０２は、アプリケーション監視部１５２、位置情報検出部１５６、入力フォーマット要求送信部１５７、入力フォーマット受信部１５９、回答取得部１６０、着信検出部１６１、視聴状況データ生成部１６２及び視聴状況データ送信部１６４を含む。
【００４０】
制御部１０２は、所定のタイミングで、収集サーバ２０から送信される、アンケート回答への誘導のためのアプリケーション（誘導アプリケーション）のプログラムを受信し、記憶部１０３に記憶させる。更に、制御部１０２は、記憶部１０３に記憶された誘導アプリケーションのプログラムを読み出して実行する。
【００４１】
アプリケーション監視部１５２は、ワンセグメント放送の視聴機能の実行時に処理されるアプリケーション（ワンセグアプリ）の起動及び終了を監視している。ワンセグアプリのプログラムは、例えば記憶部１０３に記憶されており、制御部１０２は、記憶部１０３からワンセグアプリのプログラムを読み出して実行する。
【００４２】
ワンセグアプリの起動時には、アプリケーション監視部１５２は、ワンセグアプリ起動情報を生成し、視聴状況データ生成部１６２へ出力する。
【００４３】
また、ワンセグアプリの終了時には、アプリケーション監視部１５２は、ワンセグアプリ終了情報を生成し、視聴状況データ生成部１６２へ出力する。
【００４４】
位置情報検出部１５６は、ＧＰＳ受信部１１５から出力されるＧＰＳ信号を入力する。更に、位置情報検出部１５６は、ＧＰＳ信号に基づいて、携帯電話機１０の位置を検出し、視聴状況データ生成部１６２へ出力する。
【００４５】
着信検出部１６１は、携帯電話機１０に電話や電子メールの着信時に、利用者が操作部１１６を操作して応答する操作を行った場合の当該操作に対応するキーロガー情報を検出する。このキーロガー情報は、視聴状況データの生成を要求するための生成要求信号となる。更に、着信検出部１６１は、携帯電話機１０に電話や電子メールの着信に対する応答操作があったことを示す着信検出結果を視聴状況データ生成部１６２へ出力する。
【００４６】
視聴状況データ生成部１６２は、ワンセグメント放送の視聴機能の実行開始時から実行終了時までの間において、あるいは、ワンセグメント放送の視聴機能の実行開始時から電話や電子メールの着信に対する応答操作があるまでの間において、上述したワンセグアプリ起動情報、ワンセグアプリ終了情報、着信検出結果、及び、携帯電話機１０の位置情報を入力する。
【００４７】
図４は、視聴状況データ生成部１６２における、各種情報の入力順の一例を示す図である。ワンセグメント放送の視聴機能の実行開始時には、ワンセグアプリが起動し、視聴状況データ生成部１６２は、ワンセグアプリ起動情報を入力することになる。また、ワンセグメント放送の視聴機能の実行終了時には、ワンセグアプリが終了し、視聴状況データ生成部１６２は、ワンセグアプリ終了情報を入力することになる。したがって、図４に示すように、ワンセグメント放送の視聴機能の実行時において、視聴状況データ生成部１６２は、最初にワンセグアプリ起動情報を入力し、最後にワンセグアプリ終了情報を入力することになる。
【００４８】
また、視聴状況データ生成部１６２は、着信検出部１６１からの着信検出結果を入力した場合には、最初にワンセグアプリ起動情報を入力し、最後に着信検出結果を入力することになる。
【００４９】
また、視聴状況データ生成部１６２は、ワンセグアプリ起動情報の入力時の時刻を、携帯電話機１０が内蔵する時計（図示せず）から取得し、視聴開始時刻として特定する。また、視聴状況データ生成部１６２は、ワンセグアプリ終了情報の入力時の時刻や、着信検出結果の入力時の時刻を、携帯電話機１０が内蔵する時計から取得し、視聴終了時刻として特定する。
【００５０】
また、視聴状況データ生成部１６２は、ワンセグアプリ終了情報の入力と同時に位置情報検出部１６０から入力した携帯電話機１０の位置情報を視聴終了時の位置情報として特定する。なお、視聴状況データ生成部１６２は、ワンセグメント放送の視聴機能の実行開始時から実行終了時までの間において、あるいは、ワンセグメント放送の視聴機能の実行開始時から電話や電子メールの着信に対する応答操作があるまでの間において、位置情報検出部１６０から入力した携帯電話機１０の位置情報を、ワンセグメント放送視聴時の位置情報として特定してもよい。
【００５１】
視聴終了時刻を特定した場合、誘導アプリケーションの実行の下で、視聴状況データ生成部１６２は、視聴状況に関するアンケートに回答するか否かを利用者に選択させるための画面（回答選択画面）を構成し、モニタ１１０に表示させる。
【００５２】
図５は、回答選択画面の一例を示す図である。図５に示す回答選択画面には、利用者が直ちに回答を行うことを選択するための「はい」のボタン２０１と、後で回答を行うことを選択するための「後で」のボタン２０２とが含まれている。
【００５３】
利用者が直ちにアンケートに回答することを選択した場合、視聴状況データ生成部１６２は、入力フォーマット要求送信部１５７へ出力する。
【００５４】
入力フォーマット要求送信部１５７は、収集サーバ２０に対して、アンケート入力画面のフォーマットである入力フォーマットの要求を送信する。入力フォーマット要求は、無線通信部１０６、通信用アンテナ１０７、無線基地局５０及び有線ネットワーク６０を介して、収集サーバ２０へ送信される。
【００５５】
収集サーバ２０は、上述した入力フォーマット要求を受信すると、対応する入力フォーマットを送信する。入力フォーマット受信部１５９は、有線ネットワーク６０、無線基地局５０、通信用アンテナ１０７及び無線通信部１０６を介して、入力フォーマットを受信する。更に、入力フォーマット受信部１５９は、入力フォーマットを視聴状況データ生成部１６２へ出力する。
【００５６】
視聴状況データ生成部１６２は、入力フォーマットを入力すると、携帯電話機１０に内蔵されているブラウザを起動し、入力フォーマットに基づいて、当該ブラウザに視聴状況のアンケート入力画面を構成し、モニタ１１０に表示させる。
【００５７】
ここでは、アンケート項目である視聴状況は、視聴開始時刻、視聴終了時刻、利用者が視聴したチャンネルの番号（視聴チャンネル番号）、ワンセグメント放送に付随する放送であるデータ放送のジャンルである。図６は、視聴状況のアンケート入力画面の一例を示す図である。
【００５８】
携帯電話機１０の利用者は、アンケート入力画面が表示されている状態において、操作部１１６を操作して、アンケートの回答である、視聴開始時刻、視聴終了時刻、視聴チャンネル番号、データ放送のジャンルを入力する。回答取得部１６０は、操作部１１６からの操作信号に基づいて、入力された視聴開始時刻、視聴終了時刻、視聴チャンネル番号、データ放送のジャンルを特定する。更に、回答取得部１６０は、特定した、入力された視聴開始時刻、視聴終了時刻、視聴チャンネル番号、データ放送のジャンルを視聴状況データ生成部１６２へ出力する。
【００５９】
視聴状況データ生成部１６２は、入力された視聴開始時刻、視聴終了時刻、視聴チャンネル番号、データ放送のジャンルと、ワンセグメント放送視聴時の位置情報と、携帯電話機１０の識別ＩＤとを含んだ、ワンセグメント放送の視聴状況を示す視聴状況データ（アンケート回答用視聴状況データ）を生成する。携帯電話機１０の識別ＩＤは、例えば記憶部１０３に記憶されている。視聴状況データ生成部１６２は、記憶部１０３から携帯電話機１０の識別ＩＤを読み出し、アンケート回答用視聴状況データに含ませることができる、図７は、アンケート回答用視聴状況データの一例を示す図である。
【００６０】
更に、視聴状況データ生成部１６２は、生成したアンケート回答用視聴状況データを視聴状況データ送信部１６４へ出力する。視聴状況データ送信部１６４は、入力したアンケート回答用視聴状況データを、無線通信部１０６、通信用アンテナ１０７、無線基地局５０及び有線ネットワーク６０を介して、収集サーバ２０へ送信する。
【００６１】
一方、利用者がアンケートに後で回答することを選択した場合、視聴状況データ生成部１６２は、ワンセグアプリ起動情報の入力時の時刻である視聴開始時刻と、ワンセグアプリ終了情報の入力時の時刻である視聴終了時刻と、ワンセグメント放送視聴時の位置情報と、携帯電話機１０の位置情報とを含んだ、ワンセグメント放送の視聴状況を示す視聴状況データ（リマインダ用視聴状況データ）を生成する。
【００６２】
更に、視聴状況データ生成部１６２は、生成したリマインド用視聴状況データを視聴状況データ送信部１６４へ出力する。視聴状況データ送信部１６４は、入力したリマインド用視聴状況データを、無線通信部１０６、通信用アンテナ１０７、無線基地局５０及び有線ネットワーク６０を介して、収集サーバ２０へ送信する。
【００６３】
（１．３）収集サーバの構成
（１．３．１）収集サーバの概略構成図
図８は、収集サーバ２０の概略構成図である。図８に示すように、収集サーバ２０は、インタフェース部（Ｉ／Ｆ部）２０２、制御部２０４及び記憶部２０６を含む。
【００６４】
Ｉ／Ｆ部２０２は、ルータ等を介して有線ネットワーク６０に接続される。このＩ／Ｆ部２０２は、携帯電話機１０からの入力フォーマット要求を受信し、制御部２０４へ出力する。
【００６５】
制御部２０４は、例えばＣＰＵによって構成され、収集サーバ２０が具備する各種機能を制御する。具体的には、制御部２０４は、記憶部２０６に記憶されている誘導アプリケーションを読み出し、Ｉ／Ｆ部２０２へ出力する。Ｉ／Ｆ部２０２は、誘導アプリケーションを携帯電話機１０に向けて送信する。また、制御部１０２は、携帯電話機１０からの入力フォーマット要求を入力した場合、入力フォーマットを取得する。入力フォーマットは、例えば記憶部２０６に記憶されている。更に、制御部２０４は、取得した入力フォーマットをＩ／Ｆ部２０２へ出力する。Ｉ／Ｆ部２０２は、入力フォーマットを携帯電話機１０に向けて送信する。
【００６６】
また、Ｉ／Ｆ部２０２は、携帯電話機１０からのアンケート回答用視聴状況データやリマインダ用視聴状況データを受信し、制御部２０４へ出力する。制御部２０４は、これらアンケート回答用視聴状況データやリマインダ用視聴状況データを入力して、記憶部２０６に記憶させる。
【００６７】
（２）携帯電話機の動作
次に、携帯電話機１０の動作を説明する。図９及び図１０は、携帯電話機１０の動作を示すフローチャートである。
【００６８】
ステップＳ１０１において、携帯電話機１０内の制御部１０２は、誘導アプリケーションを実行する。
【００６９】
ステップＳ１０２において、制御部１０２は、ワンセグメント放送の視聴機能の実行が開始されたか否かを判定する。具体的には、制御部１０２は、ワンセグアプリの起動を監視し、当該ワンセグアプリが起動されたか否かを判定する。
【００７０】
ワンセグメント放送の視聴機能の実行が開始された場合、ステップＳ１０３において、制御部１０２は、ワンセグアプリ起動情報を取得する。ステップＳ１０４において、制御部１０２は、ワンセグアプリ起動情報の取得タイミングに基づいて、放送開始時刻を取得する。
【００７１】
ステップＳ１０５において、制御部１０２は、携帯電話機１０に電話又は電子メールの着信に対する応答操作があったか否かを判定する。
【００７２】
携帯電話機１０に電話又は電子メールの着信がない場合、ステップＳ１０６において、制御部１０２は、ワンセグメント放送の視聴機能の実行が終了されたか否かを判定する。具体的には、制御部１０２は、利用者が操作部１１６を用いて、ワンセグメント放送の視聴機能の実行終了のための操作を行ったか否かを判定する。
【００７３】
ワンセグメント放送の視聴機能の実行が終了されていない場合には、再び、ステップＳ１０５における携帯電話機１０に電話又は電子メールの着信があったか否かの判定以降の動作が繰り返される。
【００７４】
一方、ワンセグメント放送の視聴機能の実行が終了された場合、ステップＳ１０７において、制御部１０２は、ワンセグアプリ終了情報を取得する。
【００７５】
ステップＳ１０７におけるワンセグアプリ終了情報の取得後、あるいは、ステップＳ１０５において、電話又は電子メールの着信に対する応答操作があると判定された後、ステップＳ１０８において、制御部１０２は、ワンセグアプリ終了情報の取得タイミング、あるいは、電話又は電子メールの着信タイミングに基づいて、放送終了時刻を取得する。更に、ステップＳ１０９において、制御部１０２は、視聴終了時の位置情報を取得する。
【００７６】
その後、図１０の動作に移行し、ステップＳ２０１において、制御部１０２は、モニタ１１０に回答選択画面を表示し、利用者がアンケートに直ちに回答することを選択したか否かを判定する。
【００７７】
利用者がアンケートに直ちに回答することを選択した場合、ステップＳ２０２において、制御部１０２は、収集サーバ２０に対して、入力フォーマットの要求を送信する。
【００７８】
その後、ステップＳ２０３において、制御部１０２は、収集サーバ２０からの入力フォーマットを受信したか否かを判定する。入力フォーマットが受信された場合、ステップＳ２０４において、制御部１０２は、入力フォーマットに基づいて、アンケート入力画面を構成して、モニタ１１０に表示させる。
【００７９】
携帯電話機１０の利用者は、アンケート入力画面が表示されている状態において、操作部１１６を操作して、アンケートの項目である、視聴開始時刻、視聴終了時刻、視聴チャンネル番号、データ放送のジャンルを入力する。ステップＳ２０５において、制御部１０２は、アンケートの項目が入力されたか否かを判定する。
【００８０】
アンケートの項目が入力された場合、ステップＳ２０６において、制御部１０２は、アンケートの回答である、視聴開始時刻、視聴終了時刻、視聴チャンネル番号、データ放送のジャンルを含んだアンケート回答用視聴状況データを生成する。
【００８１】
更に、ステップＳ２０７において、制御部１０２は、アンケート回答用視聴状況データを収集サーバ２０へ送信する。次に、ステップＳ２０８において、制御部１０２は、携帯電話機１０が内蔵するブラウザを起動する。その後は、ブラウザを介して、携帯電話機１０と収集サーバとの間で通信が行われる。
【００８２】
一方、ステップＳ２０１において、利用者がアンケートに後に回答することを選択した判定された場合（ステップＳ２０１で否定判断）、ステップＳ２１１において、制御部１０２は、リマインダ用視聴状況データを生成する。更に、ステップＳ２１２において、制御部１０２は、リマインド用視聴状況データを収集サーバ２０へ送信する。
【００８３】
（３）作用・効果
本発明の実施形態に係る放送視聴調査システムにおいて、携帯電話機１０は、放送の視聴機能の実行終了を検出した場合に、入力フォーマットの要求を収集サーバ２０へ送信する。更に、携帯電話機２０は、収集サーバ２０から受信した入力フォーマットに対応するアンケート入力画面をモニタ１１０に表示する。更に、携帯電話機１０は、利用者による操作部１１６の操作によって、アンケートの回答である視聴状況が入力された場合には、入力された視聴状況を含んだアンケート回答用視聴状況データを生成して、収集サーバ２０へ送信する。すなわち、携帯電話機１０及び収集サーバ２０は、受信放送信号の解析のみでは、適切に視聴状況を把握することができない場合であっても、利用者によって入力された視聴状況に基づいて、適切に視聴状況を把握することが可能となる。
【００８４】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８５】
上述した実施形態では、アンケートの項目及び回答が、視聴開始時刻、視聴終了時刻、視聴チャンネル番号、データ放送のジャンルである場合について説明したが、アンケートの項目はこれに限定されるものではない。例えば、アンケートの項目は、番組の感想等、利用者によって自由に記載される文章であってもよい。
【００８６】
また、上述した実施形態では、ワンセグメント放送を視聴する機能を有する携帯電話機１０について説明したが、パーソナルコンピュータやＰＨＳ端末等の各種端末装置についても、同様に本発明を適用することができる。更には、フルセグメント放送やデジタルラジオ放送等の他の放送を視聴する機能を有する各種端末装置、インターネット等を利用した通信によって取得したコンテンツを視聴する各種端末装置についても、同様に本発明を適用することができる。
【００８７】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００８８】
本発明のコンテンツ接触調査システム、端末装置、及び、コンテンツ接触調査支援方法は、端末装置でのコンテンツの接触状況の把握をより適切に行うことが可能であり、コンテンツ接触調査システム等として有用である。
【符号の説明】
【００８９】
１０…携帯電話機、２０…収集サーバ、３０…放送局装置、４０…中継局装置、５０…無線基地局、６０…有線ネットワーク６０、１０２…制御部、１０３…記憶部、１０６…無線通信部、１０７…通信用アンテナ、１０８…放送受信部、１０９…放送用アンテナ、１１０…モニタ、１１２…マイク、１１４…スピーカ、１１５…ＧＰＳ受信部、１１６…操作部、１５２…アプリケーション監視部、１５６…位置情報検出部、１５７…入力フォーマット要求送信部、１５９…入力フォーマット受信部、１６０…回答取得部、１６１…着信検出部、１６２…視聴状況データ生成部、１６４…視聴状況データ送信部、２０２…Ｉ／Ｆ部、２０４…制御部、２０６…記憶部
【図１】
2010183293.tif 000003
【図２】
2010183293.tif 000004
【図３】
2010183293.tif 000005
【図４】
2010183293.tif 000006
【図５】
2010183293.tif 000007
【図６】
2010183293.tif 000008
【図７】
2010183293.tif 000009
【図８】
2010183293.tif 000010
【図９】
2010183293.tif 000011
【図１０】
2010183293.tif 000012